(57)【特許請求の範囲】
【請求項１】
コンピュータを、
迷子の虞のある対象に取り付け又は付与されるためのコードであって、ページ情報にアクセスするために予め作成されたコードに基づいたアクセスを受け付け、当該ページ情報に対して迷子に関する情報が設定されているか否かを確認するアクセス制御手段と、
前記アクセス制御手段により、前記ページ情報に対して迷子に関する情報が設定されていないと確認された場合、当該ページ情報に対して迷子に関する情報を設定するためのパスワードを登録するための画面を表示した後、パスワードが設定された場合に迷子に関する情報を設定するための画面を表示し、前記ページ情報に対して迷子に関する情報が設定されていると確認された場合、前記迷子に関する情報を表示するための画面を表示し、前記ページ情報に対して迷子に関する情報が設定されていないと確認された場合、前記ページ情報を使用するための課金に関する情報を設定するための画面を表示し、課金に関する情報が設定された場合であって、前記ページ情報に対して迷子に関する情報が設定されていると確認された場合に、前記迷子に関する情報を表示するための画面を表示制御する表示手段と、
課金に関する情報のうち課金額を、前記予め作成されたコードを販売する販売店に関連付けて定める設定手段として機能させるための迷子管理プログラム。
【請求項２】
前記表示手段は、前記迷子に関する情報を表示するための画面に、設定済みの迷子に関する情報を編集するための画面に遷移させるリンクを表示する請求項１に記載の迷子管理プログラム。
【請求項３】
前記表示手段は、前記迷子に関する情報の公開範囲が予め設定された情報公開設定を参照し、当該設定が非公開である場合、前記迷子に関する情報を限定して表示する請求項１又は２に記載の迷子管理プログラム。
【請求項４】
前記表示手段は、前記迷子発見時に電話発信により連絡するための操作用画像、及び／又は他の通信サービスにより連絡するための操作用画像を表示する請求項１から３のいずれか１項に記載の迷子管理プログラム。
【請求項５】
迷子の虞のある対象に取り付け又は付与されるためのコードであって、ページ情報にアクセスするために予め作成されたコードに基づいたアクセスを受け付け、当該ページ情報に対して迷子に関する情報が設定されているか否かを確認するアクセス制御手段と、
前記アクセス制御手段により、前記ページ情報に対して迷子に関する情報が設定されていないと確認された場合、当該ページ情報に対して迷子に関する情報を設定するためのパスワードを登録するための画面を表示した後、パスワードが設定された場合に迷子に関する情報を設定するための画面を表示し、前記ページ情報に対して迷子に関する情報が設定されていると確認された場合、前記迷子に関する情報を表示するための画面を表示し、前記ページ情報に対して迷子に関する情報が設定されていないと確認された場合、前記ページ情報を使用するための課金に関する情報を設定するための画面を表示し、課金に関する情報が設定された場合であって、前記ページ情報に対して迷子に関する情報が設定されていると確認された場合に、前記迷子に関する情報を表示するための画面を表示制御する表示手段と、
課金に関する情報のうち課金額を、前記予め作成されたコードを販売する販売店に関連付けて定める設定手段とを有する情報処理装置。
【発明の詳細な説明】
【技術分野】
【０００１】
本発明は、迷子管理プログラム及び情報処理装置に関する。
【背景技術】
【０００２】
従来の技術として、ペット等にコードを取り付けて当該コードを読み取った端末に当該ペットの情報を表示する情報処理装置が提案されている（例えば、特許文献１参照）。
【０００３】
特許文献１に開示された情報処理装置は、ペット等の飼い主との契約が交わされるとコードに関連づけてペットや飼い主等の情報を管理サーバに登録した後、コードを印刷したタグを発行し、万が一、ペットが迷子になった場合に当該ペットの発見者がタグを端末により読み取ると、サービス提供会社又は飼い主の情報を発見者の端末に表示し、間接的又は直接的に飼い主に連絡をする。
【０００４】
また、他の技術として、動物病院等のクリニックがサービス提供会社と飼い主との間、及び発見者と飼い主との間に立ち、ペット等にコードを取り付けて当該コードを読み取った端末に当該ペットの情報を表示する情報処理装置が提案されている（例えば、特許文献２参照）。
【先行技術文献】
【特許文献】
【０００５】
【特許文献１】特開２００７‐２１３５２３号公報
【特許文献２】特開２０１１‐５４００９号公報
【発明の概要】
【発明が解決しようとする課題】
【０００６】
しかし、特許文献１の情報処理装置は、飼い主と管理サーバとの契約後にコードを発行するものであるため、飼い主が契約をしてから使用を開始するまでにタグへコードを印刷する手順が必要となる、という問題がある。また、契約の後にコードを発行するため、コードの印刷されたタグを予め用意しておくこともできない。
【０００７】
また、特許文献２の情報処理装置は、予めコードが印刷されたタグが発行されているものの、クリニックが飼い主の情報とコードとの関連付ける登録手続きを行う必要があり、やはり飼い主が契約をしてから使用を開始するまでの手順が増加する、という問題がある。
【０００８】
本発明の目的は、予めコードを発行可能で、使用を開始するまでの手順が従来に比べて減少する迷子管理プログラム及び情報処理装置を提供することにある。
【課題を解決するための手段】
【０００９】
本発明の一態様は、上記目的を達成するため、以下の迷子管理プログラム及び情報処理装置を提供する。
【００１０】
［１］コンピュータを、
迷子の虞のある対象に取り付け又は付与されるためのコードであって、ページ情報にアクセスするために予め作成されたコードに基づいたアクセスを受け付け、当該ページ情報に対して迷子に関する情報が設定されているか否かを確認するアクセス制御手段と、
前記アクセス制御手段により、前記ページ情報に対して迷子に関する情報が設定されていないと確認された場合、当該ページ情報に対して迷子に関する情報を設定するためのパスワードを登録するための画面を表示した後、パスワードが設定された場合に迷子に関する情報を設定するための画面を表示し、前記ページ情報に対して迷子に関する情報が設定されていると確認された場合、前記迷子に関する情報を表示するための画面を表示し、前記ページ情報に対して迷子に関する情報が設定されていないと確認された場合、前記ページ情報を使用するための課金に関する情報を設定するための画面を表示し、課金に関する情報が設定された場合であって、前記ページ情報に対して迷子に関する情報が設定されていると確認された場合に、前記迷子に関する情報を表示するための画面を表示制御する表示手段と、
課金に関する情報のうち課金額を、前記予め作成されたコードを販売する販売店に関連付けて定める設定手段として機能させるための迷子管理プログラム。
［２］前記表示手段は、前記迷子に関する情報を表示するための画面に、設定済みの迷子に関する情報を編集するための画面に遷移させるリンクを表示する前記［１］に記載の迷子管理プログラム。
［３］前記表示手段は、前記迷子に関する情報の公開範囲が予め設定された情報公開設定を参照し、当該設定が非公開である場合、前記迷子に関する情報を限定して表示する前記［１］又は［２］に記載の迷子管理プログラム。
［４］前記表示手段は、前記迷子発見時に電話発信により連絡するための操作用画像、及び／又は他の通信サービスにより連絡するための操作用画像を表示する前記［１］から［３］のいずれかに記載の迷子管理プログラム。
［５］迷子の虞のある対象に取り付け又は付与されるためのコードであって、ページ情報にアクセスするために予め作成されたコードに基づいたアクセスを受け付け、当該ページ情報に対して迷子に関する情報が設定されているか否かを確認するアクセス制御手段と、
前記アクセス制御手段により、前記ページ情報に対して迷子に関する情報が設定されていないと確認された場合、当該ページ情報に対して迷子に関する情報を設定するためのパスワードを登録するための画面を表示した後、パスワードが設定された場合に迷子に関する情報を設定するための画面を表示し、前記ページ情報に対して迷子に関する情報が設定されていると確認された場合、前記迷子に関する情報を表示するための画面を表示し、前記ページ情報に対して迷子に関する情報が設定されていないと確認された場合、前記ページ情報を使用するための課金に関する情報を設定するための画面を表示し、課金に関する情報が設定された場合であって、前記ページ情報に対して迷子に関する情報が設定されていると確認された場合に、前記迷子に関する情報を表示するための画面を表示制御する表示手段と、
課金に関する情報のうち課金額を、前記予め作成されたコードを販売する販売店に関連付けて定める設定手段とを有する情報処理装置。
【発明の効果】
【００１１】
請求項１又は５に係る発明によれば、予めコードを発行可能で、使用を開始するまでの手順が従来に比べて減少することができ、ページ情報を使用するための課金に関する情報を設定するための画面を表示することができるとともに、課金額を、予め作成されたコードを販売する販売店に関連付けて定めることができる。
請求項２に係る発明によれば、迷子に関する情報を表示するための画面に、設定済みの迷子に関する情報を編集するための画面を表示するためのリンクを表示することができる。
請求項３に係る発明によれば、迷子に関する情報の公開範囲が予め設定された情報公開設定を参照し、当該設定が非公開である場合、迷子に関する情報を限定して表示することができる。
請求項４に係る発明によれば、迷子発見時に電話発信により連絡するための操作用画像、及び／又は他の通信サービスにより連絡するための操作用画像を表示することができる。
【図面の簡単な説明】
【００１２】
【図１】図１は、実施の形態に係る迷子管理システムの構成の一例を示す概略図である。
【図２】図２は、実施の形態に係る迷子管理サーバの構成例を示すブロック図である。
【図３】図３は、ページ情報の構成の一例を示す概略図である。
【図４】図４は、登録者情報の構成の一例を示す概略図である。
【図５】図５は、販売店情報の構成の一例を示す概略図である。
【図６】図６は、登録設定時に端末の表示部に表示される画面の一例を示す概略図である。
【図７】図７は、登録設定時に端末の表示部に表示される画面の他の例を示す概略図である。
【図８Ａ】図８Ａは、情報公開設定が公開の場合に、登録情報の変更時に端末の表示部に、又は迷子発見時に端末の表示部に表示される画面の一例を示す概略図である。
【図８Ｂ】図８Ｂは、情報公開設定が非公開の場合に、登録情報の変更時に端末の表示部に、又は迷子発見時に端末の表示部に表示される画面の一例を示す概略図である。
【図９】図９は、迷子管理サーバのコード発行動作の一例を示すフローチャートである。
【図１０】図１０は、迷子管理サーバの登録設定動作及び発見時動作の一例を示すフローチャートである。
【発明を実施するための形態】
【００１３】
［実施の形態］
（迷子管理システムの構成）
図１は、実施の形態に係る迷子管理システムの構成の一例を示す概略図である。
【００１４】
この迷子管理システムは、情報処理装置としての迷子管理サーバ１と、端末２と、端末３とをネットワーク４によって互いに通信可能に接続することで構成される。端末２及び端末３は、それぞれ登録者６及び発見者８によって操作される。迷子管理サーバ１によって発行されたコード画像５０ｎ１は、カード５ｎ１に印刷されて登録者６により迷子となるおそれがある人物７ａやペット７ｂに取り付けられる。発見者８は、迷子となった人物７ａやペット７ｂを発見する者である。また、カード５ａ１、５ａ２…は販売店９ａで販売され、カード５ｂ１、５ｂ２…は販売店９ｂで販売される。なお、カード５ａ１、５ａ２…、カード５ｂ１、５ｂ２…及びカード５ｎ１を含むカードを総称してカード５と呼ぶことがある。また、コード画像を総称してコード画像５０と呼ぶことがある。
【００１５】
迷子管理サーバ１は、サーバ型の情報処理装置であり、端末２及び端末３の要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。
【００１６】
端末２及び端末３は、スマートフォン等の情報処理装置であって、本体内に情報を処理するための機能を有するＣＰＵやフラッシュメモリ等の電子部品を備える。
【００１７】
ネットワーク４は、高速通信が可能な通信ネットワークであり、例えば、イントラネットやＬＡＮ（Ｌｏｃａｌ  Ａｒｅａ  Ｎｅｔｗｏｒｋ）等の有線又は無線の通信網である。
【００１８】
迷子管理サーバ１は、一例として、複数の空のページにそれぞれ関連付けられた複数のコード画像５０を予め生成し、カード５にそれぞれ印刷して、登録者６に販売店９ａ、９ｂ等を通じて販売又は配布する。登録者６は、端末２を利用して入手したカード５のコード画像５０を読み取って迷子管理サーバ１と通信し、人物７ａやペット７ｂの情報を迷子管理サーバ１に登録し、人物７ａにカード５を携帯させて又はやペット７ｂの首輪等に取り付けて行動させる。
【００１９】
その後、人物７ａやペット７ｂが迷子となった場合に、人物７ａやペット７ｂを発見した発見者８は端末３でコード画像５０を読み取ることで迷子管理サーバ１と通信し、人物７ａやペット７ｂの情報を迷子管理サーバ１から取得し、取得した情報に基づいて登録者６と連絡をとる。
【００２０】
（情報処理装置の構成）
図２は、実施の形態に係る迷子管理サーバ１の構成例を示すブロック図である。
【００２１】
迷子管理サーバ１は、ＣＰＵ等から構成され、各部を制御するとともに、各種のプログラムを実行する制御部１０と、フラッシュメモリ等の記憶媒体から構成され情報を記憶する記憶部１１と、ネットワーク４を介して外部と通信する通信部１２とを備える。
【００２２】
制御部１０は、後述する迷子管理プログラム１１０を実行することで、ページ作成手段１００、コード発行手段１０１、アクセス制御手段１０２、登録者設定手段１０３、課金設定手段１０４、ページ表示手段１０５及び販売店設定手段１０６等として機能する。
【００２３】
ページ作成手段１００は、互いに異なる複数のページ情報１１１を作成する。なお、ページ情報１１１とは、Ｗｅｂブラウザで閲覧可能なＷｅｂページのＵＲＬと当該Ｗｅｂページの内容に関する情報である。
【００２４】
コード発行手段１０１は、ページ作成手段１００が作成した複数のページ情報１１１にそれぞれ対応した互いに異なる複数のコード画像５０を発行する。なお、コード発行とページ作成はいずれが先でもよく、また、同時に行われるものであってもよい。
【００２５】
アクセス制御手段１０２は、ページ情報１１１に対して外部からアクセスがあった場合、当該ページ情報１１１に情報が登録されているか、また、当該ページ情報１１１に関連付けられて登録者情報１１２が設定されているか否かを確認する。
【００２６】
登録者設定手段１０３は、外部の端末２の要求に応じてページ情報１１１に関連付けて登録者情報１１２を設定する。また、登録者設定手段１０３は、登録者情報１１２の内容に基づいてページ情報１１１に情報を登録する。
【００２７】
課金設定手段１０４は、外部の端末２からページ情報１１１に対してアクセスがあり、当該ページ情報１１１を以降利用する場合に、当該ページ情報１１１の利用料の引き落とし口座やクレジットカード情報等を課金設定として登録者情報１１２に登録する。
【００２８】
ページ表示手段１０５は、アクセス制御手段１０２により、ページ情報１１１に情報が登録されていない、登録者情報１１２が設定されていないと確認された場合、ページ情報１１１に情報を登録するための、登録者情報１１２を設定するためのパスワードを登録するための画面を表示した後、パスワードが設定された場合に迷子に関する情報を設定するための画面を表示し、ページ情報１１１に情報が登録されていると確認された場合、ページ情報１１１の情報に基づいて迷子となった人物７ａ又はペット７ｂに関する情報を表示するための画面を表示制御する。
【００２９】
販売店設定手段１０６は、販売店９ａ、９ｂ…のそれぞれの情報と、カード５（コード画像５０）の販売価格、月次課金額等の情報を販売店情報１１３として設定する。なお、販売店情報１１３の登録後にコード発行とページ作成を行ってもよく、これらの手順は適宜入れ替え可能である。
【００３０】
記憶部１１は、制御部１０を上述した各手段１００‐１０６として動作させる迷子管理プログラム１１０、ページ情報１１１、登録者情報１１２及び販売店情報１１３等を記憶する。
【００３１】
図３は、ページ情報１１１の構成の一例を示す概略図である。
【００３２】
ページ情報１１１は、ページを識別するための情報であるＩＤと、ページにアクセスするためのＵＲＬと、ページの内容を示すページ内容とを有する。ページ内容に対して登録者設定手段１０３により情報が登録される。
【００３３】
図４は、登録者情報１１２の構成の一例を示す概略図である。
【００３４】
登録者情報１１２は、ページを識別するためのＩＤと、当該コードを販売する販売店と、当該ページを利用する登録者６の氏名、電話番号、メールアドレスと、ページに対応したコードが発行された日時を示すコード発行と、ページが編集された日時を示す編集と、ページの利用が開始された日時を示す利用開始と、ページの情報が更新された日時を示す利用更新と、ページの情報が更新された回数を示す更新回数とを有する。
【００３５】
図５は、販売店情報１１３の構成の一例を示す概略図である。
【００３６】
販売店情報１１３は、販売店を識別するための販売店ＩＤと、販売店の名称と、販売店が販売したコードに基づいてページを利用するために必要な月次課金額を示す月次課金額と、販売店が登録された日時を示す作成日と、販売店の情報が更新された日時を示す更新日とを有する。
【００３７】
（情報処理装置の動作）
次に、本実施の形態の作用を、（１）コード発行動作、（２）登録設定動作、（３）発見時動作に分けて説明する。
【００３８】
（１）コード発行動作
図９は、迷子管理サーバ１のコード発行動作の一例を示すフローチャートである。
【００３９】
まず、迷子管理サーバ１のページ作成手段１００は、管理者の操作の下、又は自動で、互いに異なる複数のページ情報１１１を作成する（Ｓ１）。なお、作成されるページ情報１１１は、登録者の情報が登録されていない空の情報である。つまり、図３に示すページ情報１１１のうち、ページ内容に登録者の情報が登録されていない状態で作成される。
【００４０】
次に、迷子管理サーバ１のコード発行手段１０１は、ページ作成手段１００が作成した複数のページ情報１１１にそれぞれ対応した互いに異なる複数のコード画像５０を対応するＩＤとともに発行する（Ｓ２）。つまり、図３に示すページ情報１１１のＵＲＬに対応したコード画像５０を発行する。
【００４１】
次に、発行されたコード画像５０は、カード５に対してコード画像として印刷される。また、コード画像５０が印刷されたカード５は、販売店９ａ、９ｂ…に卸される。なお、コード画像５０のみをデータで販売店９ａ、９ｂ…に卸し、販売店９ａ、９ｂ…でカード５に印刷するようにしてもよい。
【００４２】
次に、迷子管理サーバ１の販売店設定手段１０６は、販売店９ａ、９ｂ…のそれぞれの情報と、カード５（コード画像５０）の販売価格、月次課金額等の情報を販売店情報１１３として設定する。つまり、図５に示す販売店情報１１３の各情報が設定されていない販売店については新たに情報が登録され、図４に示す登録者情報１１２のうち販売店の項目が登録される。つまり、登録者情報１１２のＩＤと対応するコード画像５０が印刷されたカード５について、当該カード５が卸された販売店が登録者情報１１２の販売店の欄に登録される。
【００４３】
（２）登録設定動作
登録者６は、販売店９ａ、９ｂ…のいずれかからカード５ｎ１を購入する。次に、登録者６は、人物７ａ又はペット７ｂの情報を登録するため、当該カード５ｎ１のコード画像５０ｎ１を端末２のカメラを用いて読み取る。なお、コード画像５０は、登録者６への販売前においては、不特定多数の者により読み取られないようシール等により保護しておいてもよい。
【００４４】
端末２は、読み取ったコード画像５０ｎ１の内容に基づいて迷子管理サーバ１のページ情報１１１にアクセスする。
【００４５】
図１０は、迷子管理サーバ１の登録設定動作及び発見時動作の一例を示すフローチャートである。
【００４６】
まず、迷子管理サーバ１のアクセス制御手段１０２は、ページ情報１１１に対して外部からアクセスがあった場合（Ｓ１１；Ｙｅｓ）、当該ページ情報１１１に関連付けられて登録者情報１１２が設定されているか否かを確認する（Ｓ１２）。ページ情報１１１に対して最初にアクセスする場合、登録者情報１１２は設定されていない状態である。
【００４７】
迷子管理サーバ１のページ表示手段１０５は、アクセス制御手段１０２により、ページ情報１１１に対して登録者情報１１２が設定されていないと確認された場合（Ｓ１２；Ｎｏ）、ページ情報１１１に対して登録者情報１１２を設定するためのパスワードを登録するための画面を表示する（Ｓ１３）。
【００４８】
図６は、登録設定時に端末２の表示部に表示される画面の一例を示す概略図である。
【００４９】
画面１０５ａは、ページ表示手段１０５によって端末２の表示部に表示される画面であり、パスワードを入力するためのパスワード入力欄１０５０と、入力したパスワードを迷子管理サーバ１に送信するための送信ボタン１０５１とを有する。
【００５０】
登録者６は、画面１０５ａを参照し、パスワード入力欄１０５０にパスワードを入力し、送信ボタン１０５１を押下操作する。
【００５１】
パスワードが設定されると、迷子管理サーバ１はパスワードを記憶し、次に、迷子管理サーバ１のページ表示手段１０５は、迷子に関する情報を設定するための画面を表示する（Ｓ１４）。
【００５２】
図７は、登録設定時に端末２の表示部に表示される画面の他の例を示す概略図である。
【００５３】
画面１０５ｂは、ページ表示手段１０５によって端末２の表示部に表示される画面であり、以降に説明する入力情報の公開／非公開を切り替えるための公開選択ラジオボタン１０５２ａと、登録者６（人物７ａであれば「保護者」、ペット７ｂであれば「飼主」）の情報を入力するための登録者情報入力欄１０５２と、人物７ａ又はペット７ｂの情報を入力するための迷子情報入力欄１０５３と、入力した登録者情報及び迷子情報を迷子管理サーバ１に送信するための送信ボタン１０５４とを有する。
【００５４】
登録者６は、画面１０５ｂを参照し、プライバシー保護を考慮して公開選択ラジオボタン１０５２ａの公開又は非公開を選択し、登録者情報入力欄１０５２に登録者６の情報を入力し、迷子情報入力欄１０５３に人物７ａ又はペット７ｂの情報を入力し、送信ボタン１０５４を押下操作する。
【００５５】
登録者設定手段１０３は、外部の端末２の要求に応じて登録者情報１１２の氏名、電話番号、メールアドレスに登録者情報を登録するとともに、登録者情報及び迷子情報をページ情報１１１のページ内容の該当箇所に登録する。なお、個人情報保護の観点から、電話番号は任意入力であってもよい。
【００５６】
次に、迷子管理サーバ１の課金設定手段１０４は、アクセス制御手段１０２により、課金設定されていないと確認された場合（Ｓ１５；Ｎｏ）、つまり、迷子管理サービスを以降利用する場合に、迷子管理サービスの利用料の引き落とし口座やクレジットカード情報等を設定するための課金画面を端末２の表示部に表示し（Ｓ１６）、当該課金画面において登録者６によって入力された引き落とし口座やクレジットカード情報等の情報を課金設定として登録者情報１１２に登録する（図示せず。）。
【００５７】
以上で登録動作は完了であるが、その後、登録者６は、登録済みの登録者情報１１２及びページ情報１１１の内容を変更したい場合、改めてカード５ｎ１のコード画像５０ｎ１を端末３のカメラにより読み取る。
【００５８】
端末２は、読み取ったコード画像５０ｎ１の内容に基づいて迷子管理サーバ１のページ情報１１１にアクセスする。
【００５９】
迷子管理サーバ１のページ表示手段１０５は、アクセス制御手段１０２により、ページ情報１１１に対して登録者情報１１２が設定済みであると確認された場合（Ｓ１２；Ｙｅｓ）、情報公開設定を参照し、設定が公開である場合（Ｓ１７；Ｙｅｓ）、登録者６に対して迷子に関する情報を全て表示するための画面を表示制御する（Ｓ１８）。
【００６０】
図８Ａは、情報公開設定が公開である場合に、登録情報の変更時に端末２の表示部に、又は迷子発見時に端末３の表示部に表示される画面の一例を示す概略図である。
【００６１】
画面１０５ｃは、ページ表示手段１０５によって端末３の表示部に表示される画面であり、人物７ａ又はペット７ｂの顔写真及び名前を表示する迷子表示欄１０５５と、登録者情報１１２に登録された登録者６の電話番号に電話をかけるための電話発信ボタン１０５６と、ＳＭＳ（Ｓｈｏｒｔ  Ｍｅｓｓａｇｅ  Ｓｅｒｖｉｃｅ）、電子メール、ＳＮＳ（Ｓｏｃｉａｌ  Ｎｅｔｗｏｒｋ  Ｓｅｒｖｉｃｅ）等のサービスを介して登録者６と連絡をとるためのサービス接続ボタン１０５７と、登録者６の情報を表示する登録者情報表示欄１０５８と、既に登録されている登録者情報１１２の内容及びページ情報１１１のページ内容を変更するための画面へのリンクである登録情報変更ボタン１０５９とを有する。
【００６２】
また、情報公開設定を参照し、設定が非公開である場合（Ｓ１７；Ｎｏ）、登録者６に対して迷子に関する情報を最小限表示するための画面を表示制御する（Ｓ１９）。
【００６３】
図８Ｂは、情報公開設定が未公開である場合に、登録情報の変更時に端末２の表示部に、又は迷子発見時に端末３の表示部に表示される画面の一例を示す概略図である。
【００６４】
画面１０５ｄは、ページ表示手段１０５によって端末３の表示部に表示される画面であり、人物７ａ又はペット７ｂの顔写真及び名前を表示する迷子表示欄１０５５と、既に登録されている登録者情報１１２の内容及びページ情報１１１のページ内容を変更するための画面へのリンクである登録情報変更ボタン１０５９とを有する。図８Ａと比較し、電話発信ボタン１０５６と、サービス接続ボタン１０５７と、登録者情報表示欄１０５８とが表示されず、プライバシーが保護される。
【００６５】
登録者６は、画面１０５ｃ又は画面１０５ｄを参照し、登録情報を変更するため、登録情報変更ボタン１０５９を押下する（Ｓ２０；Ｙｅｓ）。
【００６６】
迷子管理サーバ１のページ表示手段１０５は、図６に示す画面１０５ａを表示し（Ｓ１３）、登録済みのパスワードの入力を要求する。
【００６７】
登録者６は、画面１０５ａを参照し、登録済みのパスワードを入力し、送信ボタン１０５１を押下する。
【００６８】
パスワードが入力されると、迷子管理サーバ１のページ表示手段１０５は、図７に示した、迷子に関する情報を編集するための画面を表示する（Ｓ１４）。
【００６９】
登録者６は、入力済みの情報を修正したり、不足している情報をさらに入力したりする。なお、登録済みの登録者情報１１２及びページ情報１１１の内容を変更する方法は上に説明したように、コード画像５０を読み込む方法の他、情報登録完了時に送信されるメールに記載されたＵＲＬからのアクセス、内容変更のために用意されたページのＵＲＬからのアクセスであってもよい。
【００７０】
（３）発見時動作
上記「（２）登録設定動作」の後、人物７ａ又はペット７ｂが迷子となり、発見者８により発見された場合、発見者８は、人物７ａの保護者又はペット７ｂの飼主の情報を得るため、カード５ｎ１のコード画像５０ｎ１を端末３のカメラにより読み取る。
【００７１】
端末３は、読み取ったコード画像５０ｎ１の内容に基づいて迷子管理サーバ１のページ情報１１１にアクセスする。
【００７２】
迷子管理サーバ１のページ表示手段１０５は、アクセス制御手段１０２により、ページ情報１１１に対して登録者情報１１２が設定されていると確認された場合（Ｓ１２；Ｙｅｓ）、情報公開設定を参照し、設定が公開である場合（Ｓ１７；Ｙｅｓ）、発見者８に対して迷子に関する情報を全て表示するための画面（図８Ａ）を表示制御する（Ｓ１８）。つまり、端末３からページ情報１１１に対してアクセスする場合、登録者６により登録者情報１１２が設定されている状態であるため、図８Ａに示す画面１０５ｃが端末３の表示部に表示される。
【００７３】
発見者８は、図８Ａに示す画面１０５ｃを参照し、電話発信ボタン１０５６又はサービス接続ボタン１０５７を押下して登録者６と連絡をとるか、登録者情報表示欄１０５８の内容に基づいて他の連絡手段により登録者６と連絡をとる。なお、リアルタイムで通信する電話だけでなく、メッセージ等を送信可能な他の連絡手段を用意することで災害時等のように通信インフラが安定していない状態でも連絡が可能となる。また、登録者６のみに限らず、予備登録しておいた連絡先との連絡や、サービス提供会社を介した間接的な連絡方法を提供してもよい。
【００７４】
また、情報公開設定を参照し、設定が非公開である場合（Ｓ１７；Ｎｏ）、発見者８に対して迷子に関する情報を最小限表示するための画面（図８Ｂ）を表示制御する（Ｓ１９）。
【００７５】
発見者８は、図８Ｂに示す画面１０５ｄを参照し、人物７ａ又はペット７ｂの顔写真及び名前を表示する迷子表示欄１０５５の内容は確認することができるが、登録者６と連絡をとることはできない。なお、この場合、サービス提供会社を介して間接的に登録者６と連絡可能に構成してもよいし、誰かが画面１０５ｄにアクセスした旨を登録者６に通知するようにしてもよい。
【００７６】
［実施の形態の効果］
上記した実施の形態によれば、複数の空のページ情報１１１にそれぞれ関連付けられた複数のコード画像５０を予め生成し、カード５にそれぞれ印刷して、登録者６に販売店９ａ、９ｂ等を通じて販売又は配布するとともに、登録者６の操作に応じて端末２によりカード５のコード画像５０が読み取られて迷子管理サーバ１にアクセスがあると、人物７ａやペット７ｂの情報を迷子管理サーバ１に登録するための画面を表示し、その後、人物７ａやペット７ｂが迷子となった場合に、人物７ａやペット７ｂを発見した発見者８の操作に応じて端末３によりコード画像５０が読み取られて迷子管理サーバ１にアクセスがあると、人物７ａやペット７ｂの情報を表示するための画面を表示するようにしたため、単一のコード画像５０によって情報の登録と、登録された情報の表示が状況に合わせて切り替えられるため、予めコードを発行可能となり、また、登録後にコードを発行する必要がないため、登録してから使用を開始するまでの手順が従来に比べて減少することができる。また、表示が状況に合わせて切り替えられるため、登録者６及び発見者８が操作に戸惑うこともない。
【００７７】
また、予めコードを発行可能であるため、登録者６のサービスの利用開始前に販売店９ａにカード５ａ１、５ａ２…を、販売店９ｂにカード５ｂ１、５ｂ２…をそれぞれ卸すことができる。また、販売店情報１１３を設定するようにしたため、同一のサービス中において、販売店９ａ、９ｂ…毎に異なる月次課金額を設定することができる。また、これは月次課金額だけでなく、販売店９ａ、９ｂ…毎にそれぞれ異なる価格でカード５ａ１、５ａ２…、カード５ｂ１、５ｂ２…を販売することができる。つまり、例えば、販売店９ａではカードの価格を０円に、月次課金額を１００円にし、販売店９ｂではカードの価格を１０００円に、月次課金額を０円にして有効期限を設定する、といったように販売店毎に自由な運営が可能となる。
【００７８】
［他の実施の形態］
なお、本発明は、上記実施の形態に限定されず、本発明の趣旨を逸脱しない範囲で種々な変形が可能である。
【００７９】
例えば、コード画像５０は、読み取り可能であればバーコードやマトリックス型２次元コード、その他、形式は問わない。また、コード画像５０は、カード５への印刷に限らず、迷子札、ステッカー、Ｔシャツ、ペット用衣服等への印刷でもよく、印刷対象は限定されない。また、コード画像５０のようにカメラで読み取り可能な画像でなくともよく、カード５にチップを内蔵してＲＦＩＤリーダー等で非接触読み取り可能な情報であってもよい。また、人物７ａ及びペット７ｂの体内に注入されるマイクロチップに記憶可能な情報であってもよい。また、コードを発行せずに、チップに固有の情報をページ情報１１１と関連付けて、当該固有の情報を読み取った場合にページ情報１１１にアクセスするようにしてもよい。なお、人物７ａやペット７ｂ等のように生物であればその種類は問わず、生物以外にも物に取り付けて落とし物対策としてもよい。
【００８０】
また、発見者８が図８Ａに示す画面１０５ｃから登録者６に連絡を取る際に、メッセージだけでなく、ＧＰＳ情報のように端末３の位置情報を送信するようにしてもよい。また、ＳＭＳ、ＳＮＳ及びメールはダイレクトメッセージ機能を有していればそのサービスの種類は問わない。
【００８１】
上記実施の形態では制御部１０の各手段１００‐１０６の機能をプログラムで実現したが、各手段の全て又は一部をＡＳＩＣ等のハードウエアによって実現してもよい。また、上記実施の形態で用いたプログラムをＣＤ‐ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００８２】
１              ：迷子管理サーバ
２、３          ：端末
４              ：ネットワーク
５              ：カード
６              ：登録者
７ａ            ：人物
７ｂ            ：ペット
８              ：発見者
９ａ、９ｂ      ：販売店
１０            ：制御部
１１            ：記憶部
１２            ：通信部
５０            ：コード画像
１００          ：ページ作成手段
１０１          ：コード発行手段
１０２          ：アクセス制御手段
１０３          ：登録者設定手段
１０４          ：課金設定手段
１０５          ：ページ表示手段
１０６          ：販売店設定手段
１１０          ：迷子管理プログラム
１１１          ：ページ情報
１１２          ：登録者情報
１１３          ：販売店情報
【図１】
0006931510.tif 000002
【図２】
0006931510.tif 000003
【図３】
0006931510.tif 000004
【図４】
0006931510.tif 000005
【図５】
0006931510.tif 000006
【図６】
0006931510.tif 000007
【図７】
0006931510.tif 000008
【図８Ａ】
0006931510.tif 000009
【図８Ｂ】
0006931510.tif 000010
【図９】
0006931510.tif 000011
【図１０】
0006931510.tif 000012